(57)【要約】      （修正有）【課題】封書用等の書面に記載された秘匿情報の秘匿性を向上させることができるラベル貼付装置を提供する。【解決手段】秘匿情報記載部を有する秘匿情報記載書を搬送路９にて搬送する用紙搬送ローラ１８と、秘匿ラベルシールから秘匿ラベルを剥離する秘匿ラベル剥離装置と、この剥離された秘匿ラベルを、用紙搬送路にて秘匿情報記載書の秘匿情報記載部上に貼付する秘匿ラベル貼付ユニット１０と、この秘匿情報書面に貼付された秘匿ラベルの貼付異常を検出するラベル貼付異常検出センサ３２と、搬送路からの書面を収納するスタッカートレイ１１と、リジェクト紙を収納するリジェクトトレイ１２と、書面の搬送方向を、スタッカートレイ側またはリジェクトトレイ側へ切り換える切換ゲート１５と、ラベル貼付異常検出装置により秘匿ラベルの貼付異常を検出したときに、切換ゲートをリジェクトトレイ側へ切り換えるマイクロプロセッサと、を具備している。【選択図】  図１
2006256660.tif 000002
【特許請求の範囲】
【請求項１】
秘匿すべき情報を記載した秘匿情報記載部を有する書面を搬送路にて搬送する用紙搬送装置と、
連続紙よりなる剥離紙に、その長手方向に複数の秘匿ラベルを剥離可能に貼着してなる秘匿ラベルシールから当該剥離紙を巻き取り、秘匿ラベルを剥離する秘匿ラベル剥離装置と、
この秘匿ラベル剥離装置により前記連続剥離紙から剥離された秘匿ラベルを、前記用紙搬送路にて前記書面の秘匿情報記載部上に貼付する秘匿ラベル貼付装置と、
この秘匿ラベル貼付装置により貼付された秘匿ラベルの貼付異常を検出するラベル貼付異常検出装置と、
前記搬送路からの書面を収納する正規書面収納部と、
非正規書面を収納する非正規書面収納部と、
前記書面の搬送方向を、前記正規書面収納部側または非正規書面収納部側へ切り換える搬送方向切換装置と、
前記ラベル貼付異常検出装置により秘匿ラベルの貼付異常を検出したときに、前記切換装置を非正規書面収納部側へ切り換える制御手段と、
を具備していることを特徴とするラベル貼付装置。
【請求項２】
前記搬送路における前記書面の送り異常を検出する用紙送り異常検出装置と、
前記書面における秘匿情報記載部の記載異常を検出する秘匿情報記載異常検出装置とを有し、
前記制御手段は、前記用紙送り異常検出装置および秘匿情報記載異常検出装置の少なくとも一方により、前記書面の送り異常および秘匿情報記載異常の少なくとも一方を検出したときも、前記搬送方向切換装置を前記非正規書面収納部側へ切り換えるように構成されていることを特徴とする請求項１記載のラベル貼付装置。
【請求項３】
前記秘匿ラベルシールは、前記秘匿ラベル毎に、連続剥離紙に折畳可能の折り目を形成しており、
この秘匿ラベルシールを前記折り目毎に折り畳んだ状態で収納する秘匿ラベルシール収納部と、
前記秘匿ラベルシールを剥離した後の連続剥離紙を前記折り目毎に折り畳んだ状態で収納する連続剥離紙収納部と、
を具備していることを特徴とする請求項１または２記載のラベル貼付装置。
【請求項４】
前記書面に貼付された秘匿ラベル上とこの秘匿ラベル貼付部の周辺部に跨って所要の割印を形成する割印装置、
を具備していることを特徴とする請求項１ないし３のいずれか１項記載のラベル貼付装置。
【請求項５】
前記書面を電子的に作成する書面作成装置からの書面作成用電子データを受けて紙面に印字して前記書面を作成し、前記搬送路の挿入口に排紙するプリンタ、を具備していることを特徴とする請求項１〜４のいずれか１項記載のラベル貼付装置。
【請求項６】
前記非正規書面に、非正規書面であることを示す消印を形成する消印装置、
を具備していることを特徴とする請求項１ないし５のいずれか１項記載のラベル貼付装置。
【発明の詳細な説明】
【技術分野】
【０００１】
本発明は個人情報やＩＤ（IDentification）番号等の秘匿情報が記載される秘匿情報記載部を有する書面（文書）に、その秘匿情報記載部上にて不透光性の秘匿ラベルを貼付して秘匿情報を秘匿する封書用に好適なラベル貼付装置に関する。
【背景技術】
【０００２】
近年、経済・社会の高度情報化の進展に伴い、官民を通じてコンピュータやそのネットワークを利用した各種の申請や商取引が可能になりつつある。
【０００３】
政府の対応ないし施策も例えばｅ−Ｊａｐａｎというネットワークを使用した情報公開から各種手続きの申請、情報検索や閲覧等にも拡大してきており、個人情報の管理や機密情報漏洩防止の強化が求められている。
【０００４】
例えばコンピュータネットワークによる重要情報のアクセスについては、公開情報の制限や個人情報アクセス権限管理のために本人以外が容易にアクセスすることができないようにＩＤ番号を発行する一方、パスワードを申請させている。また、ＩＤ番号を交付された側では、それらのＩＤ番号等を使用し、ネットワークへアクセスした後に、パスワードの変更等を行なって、自己以外の他人が自己の個人情報等に簡単にアクセスすることができないように保護対策を講じている。
【０００５】
したがって、ＩＤ番号等ＩＤ情報を交付された本人が使用する前に、これらのＩＤ情報を他人に知られてしまうと、他人により容易に個人情報等にアクセスされてしまう虞がある。
【０００６】
そこで、従来から、ＩＤ情報等秘匿情報を記載した記載部上に、秘匿ラベルを貼付する親展葉書が知られている（例えば、特許文献１，２参照）。この親展葉書は、葉書書面に記載された秘匿情報記載部上に秘匿ラベルを貼付し、その秘匿情報を隠蔽した状態で葉書料金により送付することができるものである。この親展葉書は、葉書と秘匿ラベルが剥れることなく一体的に密着していることが必要である。
【特許文献１】特開平７−１０１１８３号公報
【特許文献２】特開平１１−３３４２５６号公報
【発明の開示】
【発明が解決しようとする課題】
【０００７】
しかしながら、これら特許文献１，２記載の従来の発明は、はがきに限定されており、封書によりＩＤ情報等秘匿情報を通知する場合には、適用することができない。
【０００８】
また、これら従来例では、はがきに秘匿情報を記載または印字してから秘匿ラベルを貼付して秘匿するまでの間に、その秘匿情報をはがき発信側の内部の者に知られてしまう虞がある。
【０００９】
本発明は、このような事情を考慮してなされたもので、その目的は、封書用等の書面に記載された秘匿情報の秘匿性を向上させることができるラベル貼付装置を提供することにある。
【課題を解決するための手段】
【００１０】
請求項１に係る発明は、秘匿すべき情報を記載した秘匿情報記載部を有する書面を搬送路にて搬送する用紙搬送装置と、連続紙よりなる剥離紙に、その長手方向に複数の秘匿ラベルを剥離可能に貼着してなる秘匿ラベルシールから当該剥離紙を巻き取り、秘匿ラベルを剥離する秘匿ラベル剥離装置と、この秘匿ラベル剥離装置により前記連続剥離紙から剥離された秘匿ラベルを、前記用紙搬送路にて前記書面の秘匿情報記載部上に貼付する秘匿ラベル貼付装置と、この秘匿ラベル貼付装置により貼付された秘匿ラベルの貼付異常を検出するラベル貼付異常検出装置と、前記搬送路からの書面を収納する正規書面収納部と、非正規書面を収納する非正規書面収納部と、前記書面の搬送方向を、前記正規書面収納部側または非正規書面収納部側へ切り換える搬送方向切換装置と、前記ラベル貼付異常検出装置により秘匿ラベルの貼付異常を検出したときに、前記切換装置を非正規書面収納部側へ切り換える制御手段と、を具備していることを特徴とするラベル貼付装置である。
【００１１】
請求項２に係る発明は、前記搬送路における前記書面の送り異常を検出する用紙送り異常検出装置と、前記書面における秘匿情報記載部の記載異常を検出する秘匿情報記載異常検出装置とを有し、前記制御手段は、前記用紙送り異常検出装置および秘匿情報記載異常検出装置の少なくとも一方により、前記書面の送り異常および秘匿情報記載異常の少なくとも一方を検出したときも、前記搬送方向切換装置を前記非正規書面収納部側へ切り換えるように構成されていることを特徴とする請求項１記載のラベル貼付装置である。
【００１２】
請求項３に係る発明は、前記秘匿ラベルシールは、前記秘匿ラベル毎に、連続剥離紙に折畳可能の折り目を形成しており、この秘匿ラベルシールを前記折り目毎に折り畳んだ状態で収納する秘匿ラベルシール収納部と、前記秘匿ラベルシールを剥離した後の連続剥離紙を前記折り目毎に折り畳んだ状態で収納する連続剥離紙収納部と、を具備していることを特徴とする請求項１または２記載のラベル貼付装置である。
【００１３】
請求項４に係る発明は、前記書面に貼付された秘匿ラベル上とこの秘匿ラベル貼付部の周辺部に跨って所要の割印を形成する割印装置、を具備していることを特徴とする請求項１ないし３のいずれか１項記載のラベル貼付装置である。
【００１４】
請求項５に係る発明は、前記書面を電子的に作成する書面作成装置からの書面作成用電子データを受けて紙面に印字して前記書面を作成し、前記搬送路の挿入口に排紙するプリンタ、を具備していることを特徴とする請求項１〜４のいずれか１項記載のラベル貼付装置である。
【００１５】
請求項６に係る発明は、前記非正規書面に、非正規書面であることを示す消印を形成する消印装置、を具備していることを特徴とする請求項１ないし５のいずれか１項記載のラベル貼付装置である。
【発明の効果】
【００１６】
請求項１に係る発明によれば、秘匿情報を記載した書面を、搬送路へ挿入することにより、この書面の秘匿情報記載部上に秘匿ラベルを自動的に貼付することができる。このために、書面に記載された秘匿情報を簡単迅速かつ大量に秘匿することができる。また、この秘匿ラベルを貼付した書面を封筒内に封入し、発送する内部作業者に対しても、その書面への秘匿情報の記載（または印字）から、その秘匿情報の秘匿ラベルの貼付による秘匿まで一貫して秘匿しているので、秘匿情報の秘匿性を向上させることができる。
【００１７】
さらに、本発明は秘匿ラベルの書面への貼付の異常をラベル貼付異常検出装置により検出したときに、その書面の搬送方向を非正規書面収納部側に切り換えて非正規書面収納部へ収納させるので、人手により秘匿ラベル貼付の異常の有無を検出し、かつ正規書面と非正規書面とに振り分ける必要がない。このために、書面に秘匿ラベルを貼付する作業の効率と精度を一層向上させることができる。
【発明を実施するための最良の形態】
【００１８】
以下、本発明の実施形態を複数の添付図面に基づいて説明する。これら添付図面中、同一または相当部分には同一符号を付している。
【００１９】
図５は本発明の一実施形態に係るラベル貼付装置１の外観平面図、図６はラベル貼付装置１の外観正面図である。
【００２０】
これらの図に示すようにラベル貼付装置１はほぼ角筒状の本体ケース２を具備している。本体ケース２は、例えば角筒状の下ケース３上に、ほぼ角筒状の上ケース４を上下方向にほぼ同心状に一体に形成している。
【００２１】
下ケース３は、矩形平板状の底板３ａと、この底板３ａ上に立設されたコ字状の側板部３ｂとを有する。側板部３ｂは、その正面側（図６の紙面表裏方向の表面側）を開口した平面形状がコ字状に形成されている。底板３ａの下面には、その各コーナ部と中央部にて、ストッパー付きの複数のキャスタ３ｃ，３ｃ，…をそれぞれ設け、移動可能かつ固定可能に構成されている。
【００２２】
下ケース３は、その底板３ａ上に、プリンタ６を正面開口手前側へ所要量引出し可能に配設している。プリンタ６は、図示しない文書作成機であるパーソナルコンピュータ（ＰＣ）等のコンピュータに接続され、プリントされた例えば図７で示す識別情報通知書等の秘匿情報を記載した秘匿情報記載書７を、図６中上方の上ケース４側へ排出する排紙口６ａを上端面に形成している。
【００２３】
すなわち、コンピュータにより、例えば図７，８で示す識別情報通知書等の秘匿情報記載書７の電子データを作成し、この電子データをプリンタ６により紙媒体にプリントして秘匿情報記載書７を作成し、これをその幅方向（図７，８では横方向）に排紙口６ａから図６中上方へ排出するようになっている。秘匿情報記載書７は、例えば所要の官庁等秘匿情報所有者から個人等のユーザに、個人情報のＩＤ（IDentification）情報やアクセス情報等の秘匿情報を通知する書面であり、その書面の表題を記載する表題部７ａ、秘匿情報を記載する秘匿情報記載部７ｂ、秘匿情報でない事項を記載する非秘匿情報記載部７ｃ等を有する。ラベル貼付装置１は、この秘匿情報記載部７ｂ上に、不透光性の秘匿ラベル８を自動的に貼付して、この秘匿情報を秘匿するようになっている。
【００２４】
すなわち、図１示すようにラベル貼付装置１は、上ケース４内に、図７，８で示す秘匿情報記載書７を、その幅方向（長手方向（図７，８の縦方向）に直交する方向）に搬送する用紙搬送路９、ラベル貼付ユニット１０、正規書面収納部の一例であるスタッカートレイ１１、非正規書面収納部の一例であるリジェクトレイ１２、秘匿ラベルシール収納ケース１３、連続剥離紙収納部の一例である剥離紙収納ケース１４、正規書面と非正規書面の搬送方向をスタッカートレイ１１またはリジェクトレイ１２とにそれぞれ切り換える搬送方向切換装置の一例である切換ゲート１５、割印装置の一例であるエンボス文字ユニット１６、消印装置の一例であるエンボスラインユニット１７等を配設している。
【００２５】
エンボス文字ユニット１６は切換ゲート１５により秘匿情報記載書７が正規書面として切り換えられたときに、その秘匿情報記載書７に、図８に示すように所要のエンボス文字ＥＣを、割印として秘匿ラベル８の上面上とその前後（図８では左右）に跨って刻み印字し、正規書面であることを示すものである。
【００２６】
エンボス文字ユニット１６は所要のエンボス文字ＥＣを刻印したエンボス文字ローラ１６ａと、これに外接して回動させる駆動ローラ１６ｂと、この駆動ローラ１６ｂのホームポジションを検出して常にエンボス文字を始端から終端まで印字させるエンボスホームポジションセンサ１６ｃと、を具備している。
【００２７】
また、エンボスラインユニット１７は、切換ゲート１５により秘匿情報記載書７が非正規書面に切り換えられたときに、その秘匿情報記載書７に、図９に示すように所要本数のエンボスラインＥＬを刻み（穿孔）印字し、非正規書面、すなわちリジェクト紙７Ｒであることを示すものである。
【００２８】
そして、用紙搬送路９は、プリンタ６の排紙口６ａから排出される秘匿情報記載書７を受け取る用紙挿入口部９ａから、スタッカートレイ１１側とリジェクタトレイ１２側とに分岐する分岐部９ｂまで連成され、秘匿情報記載書７を幅方向に搬送するようになっている。
【００２９】
そして、用紙搬送路９は、その図１中下端部の挿入口部９ａから分岐部９ｂ近傍までほぼ垂直に立ち上がるように形成され、その長さ方向に所要の間隔を置いて複数組の用紙搬送ローラ１８，１８，１８，…をそれぞれ配設して用紙搬送装置に構成されている。
【００３０】
各用紙搬送ローラ１８は、用紙搬送路９の片側に配設された駆動ローラ１８ａと、この駆動ローラ１８ａに外接してその反対側にて従動可能に配設された従動ローラ１８ｂとにより、一対に構成され、秘匿情報記載書７を、その表裏両面方向で弾性的に挟持して挿入口部９ａ側から分岐部９ｂ側へ順次搬送するように構成されている。これら一対のローラ１８ａ，１８ｂは図７，８で示す秘匿情報記載書７の長手方向に所要の間隔をおいて複数対配設されている。
【００３１】
図１，２，３に示すように、ラベル貼付ユニット１０は、秘匿ラベルシール１９を収納する秘匿ラベルシール収納ケース１３、この秘匿ラベルシール１９の柔軟性を有する連続剥離紙１９ａから秘匿ラベル８を剥離する秘匿ラベル剥離装置２０、秘匿ラベル８が剥離された後の連続剥離紙１９ａを収納する連剥離紙収納ケース１４を具備している。
【００３２】
秘匿ラベルシール１９は、連続剥離紙１９ａ上に、不透光性の複数の秘匿ラベル８を長手方向に微少間隙を置いて、弱い接着力の所要の接着剤により剥離可能に貼着している。連続剥離紙１９ａは、その長手方向で隣り合う秘匿ラベル８同士の微少間隙において、ミシン目等の折り目を幅方向にそれぞれ形成しており、これら複数の折り目毎に折り畳んだ状態で秘匿ラベルシール収納ケース１３内に収納されている。
【００３３】
秘匿ラベル剥離装置２０は、秘匿ラベルシール１９を、その収納ケース１３から連続剥離紙収納ケース１４へ搬送するラベル搬送路２１、秘匿ラベルシール収納ケース１３内の秘匿ラベルシール１９をその収納ケース１３から引き出し搬送する駆動側と従動側で一対のラベル搬送ローラ２２，２２、図３に示すように秘匿ラベルシール１９の柔軟性を有する連続剥離紙１９ａのみの巻取り方向を、ラベル搬送ローラ２２，２２による秘匿ラベルシール１９の搬送方向に対して例えば直交する方向下方へ鋭角的に転向させることにより、この連続剥離紙１９ａよりも若干剛性を有する秘匿ラベル８を連続剥離紙１９ａから剥離させる剥離ローラ２３ａ，２３ｂ、秘匿ラベル８を剥離した後の連続剥離紙１９ａを巻き取ると共に、連続剥離紙収納ケース１４内へ繰り出して折り畳んだ状態で収容させる駆動側と従動側で一対の繰出しローラ２４ａ，２４ｂ、を備えている。
【００３４】
連続剥離紙収納ケース１４は、連続剥離紙１９ａを折畳状態で収納する角筒状の本体ケース１４ａ、この本体ケース１４ａ内で連続剥離紙１９ａを受ける底板をなす受け板１４ｂ、この受け板１４ｂを昇降自在に弾性的に支持し、連続剥離紙１９ａの自重増加に応じて降下する支持機構１４ｃ、受け板１４ｂに突設されたガイド片１４ｄに嵌合して、その昇降方向（上下方向）を案内するガイド溝１４ｅを備えている。
【００３５】
そして、図１，２に示すようにラベル搬送路２１は、ラベル搬送ローラ２２，２２のラベル搬送方向上流側に、例えば反射型光センサのラベルニアエンド検出センサ２５を配設し、ラベル搬送ローラ２２，２２の下流側において、例えば分離型光センサのラベル先端検出センサ２６を配設し、連続剥離紙収納ケース１４には、剥離紙満杯検出センサ２７を設けている。
【００３６】
ラベルニアエンド検出センサ２５は、秘匿ラベルシール１９の連続剥離紙１９ａの長手方向終端近傍の図２中下面に形成された終端近傍を示す所要のマークを読み込んだときに、秘匿ラベルシール１９の終了が近いことを知らせる光センサである。
【００３７】
ラベル先端検出センサ２６は、その発光素子から秘匿ラベルシール１９に光を照射し、その透過光を受光素子により受光する分離型光センサ等からなり、連続剥離紙１９ａの上面上に剥離可能に貼着されている不透光性の秘匿ラベル８の搬送先端部と連続剥離紙１９ａとを共に透過したときの透過光量と、隣り合う秘匿ラベル８，８同士間の間隙であって、不透光性の秘匿ラベル８が存在しない連続剥離紙１９ａのみを透過したときの透過光量と、を後述するマイクロプロセッサ３７により比較することにより、秘匿ラベル８の搬送先端部の通過を検出し、秘匿ラベル８を秘匿情報記載書７の秘匿情報記載部７ｂに貼付するタイミングを検出するようになっている。
【００３８】
剥離紙満杯センサ２７は、連続剥離紙１９ａがその収納ケース１４内で満杯になった状態を検出する反射型光センサである。
【００３９】
そして、図１に示すように用紙搬送路９は、その挿入口部９ａに、秘匿情報記載書７の挿入先端を検出する用紙挿入検出センサ２８を配設している。さらに、この用紙搬送路９には、用紙挿入検出センサ２８から搬送方向下流側に向けて用紙送り異常検出センサ２９、秘匿情報記載異常検出装置の一例である番号読取センサ３０、用紙通過検出センサ３１、ラベル貼付（異常）検出センサ３２、スタッカー搬送検出センサ３３、リジェクト搬送検出センサ３４をそれぞれ配設している。
【００４０】
また、スタッカートレイ１１には、このスタッカートレイ１１内に搬入され、集積された正規書面が満杯になったか否かを検出する、例えば分離型光センサのスタッカー満杯検出センサ３５を配設している。
【００４１】
さらに、リジェクトトレイ１２は、その入口近傍にて消印用のエンボスラインユニット１７を配設している。このエンボスラインユニット１７は図９で示すリジェクト紙７Ｒに刻み印字するエンボスラインＥＬを形成するために、リジェクト紙７Ｒの表裏方向で噛み合う一対のエンボスカッタをリジェクト紙７Ｒの長手方向に所要の間隔を置いて複数対（例えば２対）設けている。また、リジェクトトレイ１２内には、リジェクト紙７Ｒの有無を検出する、例えば反射型光センサのリジェト紙検出センサ３６を配設している。
【００４２】
図４に示すように、これらセンサ２５〜３６は、制御手段の一例であって、ＣＰＵ３７ａ、ＲＯＭ３７ｂ、ＲＡＭ３２ｃを有するマイクロプロセッサ３７に、入出力回路３８を介して電気的に接続され、マイクロプロセッサ３７の演算制御処理によって、種々の検出，演算，制御動作を行なうようになっている。
【００４３】
すなわち、ＲＯＭ３７ｂには、ＣＰＵ３７ａを制御する制御プログラムが記録されており、ＣＰＵ３７ａは、その制御プログラムに従って所要の入出力回路３８から必要とされるセンサ２５〜３６から検出信号を読み込み、またはＲＡＭ３７ｃとの間でデータの授受をしながら演算処理し、必要に応じてデータや制御信号を入出力回路３８へ出力する。
【００４４】
図４に示すように入出力回路３８には、インターロックスイッチ３９に連動してオンまたはオフする保護リレー４０を介して電源装置４１が接続されている。インターロックスイッチ３９は、図６で示す上ケース４の正面扉４ａ，側面扉４ｂ，スタッカカバー１１ａが開扉中であるときと、プリンタ６が正面開口から外方へ引き出されて引出し中であるときに、電源スイッチ４３がオンされたときに動作して保護リレー４０をオフ動作させ、保護リレー４０からの給電を遮断するようになっている。
【００４５】
電源装置４１は、ＡＣ電源コード４２を通して供給される例えば商用ＡＣ電源をオンオフ制御する電源スイッチ４３を備えており、商用ＡＣ電源を例えば２４Ｖの直流に整流する整流装置である。また、電源装置４１は、その出力のＤＣ２４Ｖを例えばＤＣ５Ｖに降圧するＤＣ−ＤＣレギュレータ等の電源回路４４を具備している。
【００４６】
電源装置４１の出力（例えば＋２４Ｖ）はモータ等駆動系に給電され、電源回路４４の出力（例えば＋５Ｖ）は各種センサ２５〜３６や制御系に給電される。
【００４７】
すなわち、電源装置４１は、そのＤＣ出力側を、保護リレー４０をそれぞれ介して、第１モータ駆動回路４５、第２モータ駆動回路４６、ソレノイド駆動回路４７にそれぞれ接続して、例えばＤＣ２４Ｖを給電している。第１モータ駆動回路４５は、用紙搬送ローラ１８を駆動する用紙搬送モータ１８ｍ、ラベル搬送ローラ２２を駆動するラベル搬送モータ２２ｍ、エンボス文字ローラ１６ｂを駆動するエンボスモータ１６ｍに接続され、これらＤＣモータ１８ｍ，２２ｍ，１６ｍをマイクロプロセッサ３７からの制御信号に応じてオンオフ制御するようになっている。
【００４８】
第２モータ駆動回路４６は、図１で示す用紙冷却ファン５を駆動するＤＣモータ５ｍを、マイクロプロセッサ３７からの制御信号に応じてオンオフ制御するものである。用紙冷却ファン５はプリンタ６の排紙口６ａから排出される秘匿情報記載書７がその印字定着のために加熱されているので、その秘匿情報記載書７を冷却させて、印字を定着させるためと、秘匿情報記載書７の加熱による反り等を低減または防止させるものである。
【００４９】
ソレノイド駆動回路４７は、マイクロプロセッサ３７からの制御信号に応じて切換ゲート１５をスタッカートレイ１１側またはリジェクトトレイ１２側へ切換操作するゲートソレノイド１５ｓを切換制御するものである。
【００５０】
また、入出力回路３８は、ＬＣＤインタフェース４８を介して図５で示すＬＣＤ（液晶表示ディスプレイ）４９に接続され、さらに、エラー解除スイッチ／照光ランプ５０、ＬＥＤ（発光ダイオード）点灯回路５１および所要桁の７セグメント等の数字表示ＬＥＤ５２に接続されている。
【００５１】
数字表示ＬＥＤ５２は、ラベル貼付装置１のメンテナンス時に使用する表示である。すなわち、マイクロプロセッサ３７が具備している自己セルフチェック機能を実行したときに、そのセルフチェックモードの種類を数字やセグメントの点灯箇所により表示し、その動作状態を「０」や「１」等により表示するものである。
【００５２】
ＬＣＤ４９は、ユーザにラベル貼付装置１の運転状態等の情報を表示する。また、通常状態では、スタッカートレイ１１側とリジェクトトレイ１２側へ搬送された正規書面７とリジェクト紙７Ｒの枚数を表示する。異常発生時には、その異常内容を状態コード等により表示する。
【００５３】
エラー解除スイッチ／照光ランプ５０は、エラー解除スイッチ自体が照光ランプにより発光ないし点滅するようになっており、ラベル貼付装置１に、秘匿情報記載書７のジャム等異常が発生したときに、例えば赤色の照光ランプが点滅してユーザに異常が発生したことを知らせる。
【００５４】
そして、マイクロプロセッサ３７は、ラベルニアエンド検出センサ２５により連続剥離紙２５ａの図１，２中下面のエアエンドマークを検出したときに、ラベル無しと判断してプリンタ停止信号Ｓをプリンタ６に与えてプリンタ６の運転を停止させ、秘匿情報記載書７の排紙を停止させる機能を有する。
【００５５】
そして、用紙搬入センサ３３は、プリンタ６の排紙口６ａから用紙搬送路９の挿入口部９ｂ内に所要速で順次排出（搬入）された複数の秘匿情報記載書７のリーディングエッジに順次光を投光し、その反射光の有無を検出する。
【００５６】
この反射光検出信号はＣＰＵ４２ａにより読み込まれ、反射光有りを検出したときは、秘匿情報記載書７の搬入有りと判断する。
【００５７】
用紙送り異常検出センサ２９は、例えば用紙搬送路９の両側において、ＬＥＤ（発光ダイオード）等の発光素子と、ホトダイオード等の受光素子とを一対として対向配置すると共に、これらの複数対を、秘匿情報記載書７の短手方向に並設しており、秘匿情報記載書７の斜行（用紙が斜めのまま搬送される）、二重（複数枚の用紙が重なって搬送される）、連鎖（順次搬送される用紙同士が狭い間隔で搬送される）、用紙長異常（対象以外の用紙が搬送された）等紙送り異常を検出する分離型光センサである。
【００５８】
この用紙送り異常検出センサ２９の受光素子により検出された受光パターンは、ＣＰＵ３７ａにより読み込まれる。ＣＰＵ３７ａは、ＲＡＭ３７ｃに予め記録されている、秘匿情報記載書７の斜行、二重、連鎖、用紙長異常等紙送り異常の種々の受光パターンを、このＲＡＭ３７ｃから読み出し、検出受光パターンと比較することにより、紙送りの異常を検出し、切換ゲート１５をリジェクトトレイ１２側へ切り換える制御信号を切換ゲート１５のソレノイド１５Ｓに与える。
【００５９】
番号読取センサ３０は、秘匿情報の一例である識別番号や記号等が秘匿情報記載書７に印字されているか否かを検出する例えば反射型光センサであり、用紙搬送路９で搬送中の秘匿情報記載書７の秘匿情報記載部７ｂに記載されているＩＤ番号等秘匿情報に投光し、その反射光を検出するものである。
【００６０】
この反射光検出信号は、ＣＰＵ３７ａにより読み込まれる。ＣＰＵ３７ａは、ＲＡＭ３７ｃに予め記録されている正規書面と非正規書（リジェクト紙７Ｒ）とにそれぞれ対応する反射光量を当該ＲＡＭ３７ｃから読み出し、これらを検出反射光量と比較することにより、正規書面と非正規書面とを判別する。正規書面の場合は、秘匿情報の記載濃度が所定値以上に濃いので、反射光量は正規書面よりも多い。これにより、秘匿情報の記載異常として、正規書面と非正規書面とを判別することができる。
【００６１】
ＣＰＵ３７ａは、正規書面と非正規書面との判別結果を切換ゲート１５のゲートソレノイド１５ｓに与え、この切換ゲート１５により秘匿情報記載書７の搬送方向を、スタッカートレイ１１側またはリジェクトトレイ１２側に切り換え、正規書面をスタッカートレイ１１側へ搬送させ、非正規書面をリジェクトトレイ１２側へ搬送させる。
【００６２】
用紙通過検出センサ３１は、搬送中の秘匿情報記載書７に光を照射し、その反射光を検出することにより秘匿情報記載書７の通過を検出する。
【００６３】
ＣＰＵ３７ａはこの用紙通過検出信号と、ラベル先端検出センサ２６からの秘匿ラベル８の先端を検出したときのラベル先端検出信号と、を受けて秘匿ラベル８を秘匿情報記載書７の秘匿情報記載部７ｂに貼り付けるタイミングを検出し、秘匿情報記載部７ｂに秘匿ラベル８を貼付けるようになっている。
【００６４】
ラベル貼付検出センサ３２はラベル貼付ユニット１０により秘匿情報記載書７に秘匿ラベル８を貼付した下流側において、この秘匿ラベル８が秘匿情報記載書７の所定位置上にあるか否かを検出する例えば分離型光センサである。ＣＰＵ３７ａは、このラベル貼付検出センサ３２により検出された検出光を読み取り、ＲＡＭ３７ｃから読み出した参照パターンと比較することにより、この秘匿ラベル８が秘匿情報記載書７の所定位置上にないこと等異常を検出したときに、貼付異常として切換ゲート１５をリジェクトトレイ１２側へ切り換える制御信号を切換ゲート１５のソレノイド１５Ｓに与える。
【００６５】
次に、このラベル貼付装置１の作用を説明する。
【００６６】
まず、このラベル貼付装置１の図４で示す電源スイッチ４３をＯＮに投入すると、商用ＡＣ電源が電源装置４１に給電され、ここで所要電圧（例えば２４Ｖ）のＤＣ（直流）に整流される。このＤＣ電力は、保護リレー４０と第１，第２のモータ駆動回路４５，４６を経て用紙搬送用，ラベル搬送用，エンボス用，用紙冷却ファン用等のＤＣモータ１８ｍ，２２ｍ，１６ｍ，５ｍ等の駆動系に給電される。
【００６７】
また、このＤＣ電力は電源回路４４に給電され、ここで例えば５Ｖ等所要電圧の低電圧に降圧され、マイクロプロセッサ３７や各種センサ２５〜３６等の制御系に給電される。
【００６８】
このような電源スイッチ４３のＯＮ投入時に、仮に、図６で示す正面扉４ａや側面扉４ｂ、スタッカートレイ１１のカバー１１ａのいずれかが開扉中であり、あるいはプリンタ６が正面開口から外方へ引き出し中である場合には、これらの状態を検出するインターロックスイッチ３９がオンして保護リレー４０を動作させて保護リレー４０からの給電を遮断してラベル貼付装置１の運転を強制的に停止させる。
【００６９】
また、インターロックスイッチ３９のオン信号はマイクロプロセッサ３７により読み込まれ、プリンタ停止信号Ｓがプリンタ６に与えられ、プリンタ６の運転を停止させる。
【００７０】
これら停止条件が解除されると、ラベル貼付装置１の給電が再開され、プリンタ６の運転が開始される。
【００７１】
そこで、図示しないパーソナルコンピュータ（ＰＣ）により複数枚の秘匿情報記載書７を順次電子的に作成し、秘匿情報記載部７ｂに秘匿情報を記入してプリントアウトする。すると、図７で示す秘匿情報記載書７がその幅方向（横送り）でプリンタ６の排紙口６ａから順次排出され、図１で示す上ケース４の用紙搬送路９の挿入口部９ａへ挿入される。
【００７２】
用紙搬送路９は、これら秘匿情報記載書７を複数の搬送ローラ１８，１８，…により横送りで挿入口部９ａから分岐部９ｂまで順次搬送する。その間、まず、用紙挿入センサ２８により用紙（秘匿情報記載書７）の先端が挿入口部９ａに挿入されているか否かを検出する。次に、紙送り異常検出センサ２９により、用紙送りの斜行、二重、連鎖、用紙長異常等の異常が検出される。
【００７３】
この後、番号読取センサ３０とＣＰＵ３７ａにより、秘匿情報記載書７の秘匿情報記載部７ｂに記載された秘匿情報が印字されているか否かを、その印字濃度が基準値以上であるか否かにより判断し、この基準を満足しているときに、正規書面であると判断し、この基準を満足していないときに非正規書面（リジェクト紙７Ｒ）であると判断し、切換ゲート１５を、そのソレノイド１５Ｓにより、リジェクトトレイ１２側に切り換える。
【００７４】
次に、用紙通過検出センサ３１により用紙の通過を検出し、その検出信号はマイクロプロセッサ３７に与えられる。このとき、マイクロプロセッサ３７のＣＰＵ３７ａは、ラベル先端検出センサ２６により検出した秘匿ラベル８の検出位置を読み込み、秘匿ラベル８を秘匿情報記載書７の秘匿情報記載部７ｂに貼付するタイミングを検出する。
【００７５】
このとき、ラベル貼付ユニット１０では、ラベル搬送ローラ２２によりラベルシール１９をラベル搬送路２１上で搬送し、ラベル剥離ローラ２３ａ，２３ｂにより秘匿ラベル８を連続剥離紙１９ａから剥離している。秘匿ラベル８が剥離された後の連続剥離紙１９ａは連続剥離紙収納ケース１４ａ内に折り目毎に折り畳まれた状態で収容され、剥離紙満杯検出センサ２７により連続剥離紙１９ａがその収納ケース１４ａ内で満杯であるか否かが検出される。
【００７６】
そして、ラベル貼付ユニット１０により秘匿ラベル８が秘匿情報記載部７ｂ上に貼付されて、秘匿情報が隠蔽され、その貼付の有無がラベル貼付検出センサ３２により検出される。
【００７７】
一方、ラベル貼付ユニット１０では、ラベルニアエンド検出センサ２５により連続剥離紙１９ａの図１中下面のニアエンドマーク、すなわち、ラベル切れが検出される。ラベル切れが検出されたときは、その状態がＬＣＤ４９に表示され、所要のアラームが出力され、運転が停止される。この後、秘匿ラベルシール１９を補給することにより、ラベル貼付装置１の運転を再開することができる。
【００７８】
この後、用紙が搬送路分岐部９ｂまで搬送されると、切換ゲート１５は、マイクロプロセッサ３７からの切換信号に応じて正規書面をスタッカートレイ１１側に切り換え、非正規書面（リジェクト紙７Ｒ）をリジェクトトレイ１２側へ切り換える。
【００７９】
これにより、正規書面は、エンボス文字ユニット１６により、図８に示すように秘匿ラベル８上に、所要のエンボス文字ＥＣが割印状に刻み印字されてからスタッカートレイ１１上に順次収容され、積層される。正規書面がスタッカートレイ１１上で満杯になると、スタッカー満杯検出センサ３５により検出される。スタッカートレイ１１は、図５，６で示すように、その頂部に、開閉自在のスタッカカバー１１ａを具備しており、このスタッカカバー１１ａには、半透明の樹脂プレートを張設した窓１１ｂを形成している。
【００８０】
一方、リジェクトトレイ１２側へ切り換えられたリジェクト紙７Ｒは、リジェクトトレイ１２の入口近傍にて、複数対のエンボスラインユニット１７，１７により図９で示す複数本のエンボスラインＥＬ，ＥＬが穿設されて、非正規書面であることを示すと共に、再使用できないように処理している。
【００８１】
この後、リジェクト紙７Ｒはリジェクトトレイ１２内に挿入されてリジェクト紙検出センサ３６により、用紙ありとして検出される。
【００８２】
そして、ＣＰＵ３７ａは用紙の搬送を検出する用紙挿入検出センサ２８、紙送り異常検出センサ２９、用紙通過検出センサ３１、ラベル貼付検出センサ３２によりそれぞれ検出された用紙（秘匿情報記載書７）の滞留時間が所定時間超えたときに、用紙のジャムが発生したと判断し、警報を出力する機能を有する。
【００８３】
したがって、このラベル貼付装置１によれば、秘匿情報を記載した秘匿情報記載書７をプリンタ６により、搬送路９へ自動的に挿入することにより、この秘匿情報記載書７の当該秘匿情報記載部７ｂ上に秘匿ラベル８を自動的に貼付することができる。このために、秘匿情報を記載した秘匿情報記載書７の秘匿情報を簡単迅速かつ大量に秘匿することができる。また、この秘匿ラベル７を貼付した秘匿情報記載書７を封筒内に封入し、発送する内部作業者に対しても、この秘匿情報を秘匿ラベル８により秘匿しているので、秘匿性を向上させることができる。
【００８４】
さらに、本発明は秘匿ラベル８の秘匿情報記載書７への貼付の異常の有無をラベル貼付検出センサ３２により検出し、その検出結果に応じて、秘匿情報記載書７をスタッカートレイ１１またはリジェクトトレイ１２に、切換ゲート１５により振分け収納するので、人手により秘匿ラベル８の貼付異常の有無を検出し、かつ正規書面とリジェクト紙７Ｒとに振り分ける必要がない。このために、秘匿情報記載書７に秘匿ラベル８を貼付する作業の効率と精度を一層向上させることができる。
【００８５】
また、秘匿ラベルシール１９は折り目毎に折り畳んだ状態で秘匿ラベルシール収納ケース１３に収納するので、その収納ケース１３の小型化または秘匿ラベルシール１９の収納ケース１３への収納量の増大を図ることができる。
【００８６】
さらに、秘匿ラベルシール１９から秘匿ラベル８を剥離した後の連続剥離１９ａも折り目毎に折り畳んだ状態で連続剥離紙収納ケース１４内に収納するので、この収納ケース１４の小型化または連続剥離紙１９ａの収納量の増加を図ることができる。
【００８７】
秘匿ラベル剥離装置２０は秘匿ラベルシール１９の搬送方向に対して直交方向に、その連続剥離紙１９ａのみをの剥離ローラ２３ａにより巻き取るので、秘匿ラベルシール１９を連続的に搬送しつつ、秘匿ラベル８を連続的に剥離することができる。このために、秘匿ラベル８の剥離効率と精度を共に向上させることができる。
【００８８】
また、ラベル貼付装置１は、秘匿情報記載書７の秘匿情報記載部７ｂ上に、貼付した秘匿ラベル８の上面上と、この秘匿ラベル貼付部周辺部７ｂに跨ってエンボス文字ＥＣを割印として刻み印字するので、一旦、秘匿情報記載書７の秘匿情報記載部７ｂ上に貼付した秘匿ラベル８を第三者が剥がして秘匿情報を見た後、再びこの秘匿ラベル８を秘匿情報記載部７ｂ上に貼付しても、割印のエンボス文字ＥＣを一致させることは、容易ではなく、秘匿ラベル８は、一旦剥がした場合、再貼付が困難なため、剥がした痕跡が残り易いので、秘匿情報の秘匿性を向上させることができる。
【００８９】
さらに、ラベル貼付装置１は、パーソナルコンピュータ等の書面作成装置により、書面を電子的に作成し、プリンタ６で紙に印字して紙の秘匿情報記載書７を作成し、この秘匿情報記載書７をこのラベル貼付装置１の用紙搬送路９の挿入口９ａにプリンタ６により直接排出し、この秘匿情報記載書７の秘匿情報記載部７ｂ上に秘匿ラベル８を貼付して秘匿情報を秘匿した後、初めて秘匿情報記載書７を、文字作成装置の操作者以外の第三者が見ることができ、それまでは秘匿情報記載書７自体を見ることができないので、秘匿情報の秘匿性をさらに向上させることができる。
【００９０】
また、ラベル貼付装置１は、非正規書面のリジェクト紙７Ｒには、消印の一例としてエンボスラインＥＬを刻み印字するので、リジェクト紙７Ｒを正規の秘匿情報記載書７から容易に判別することができる。また、消印の一例であるエンボスラインＥＬはリジェクト紙７Ｒに穿孔され、明らかに物理的に変更させるので、リジェクト紙７Ｒを正規の秘匿情報記載書７に改竄されるのを防止することができる。
【００９１】
さらに、ラベル貼付装置１は、用紙搬送路９で搬送される秘匿情報記載書７の斜行、二重、連鎖等紙送りの異常を紙送り異常検出装置２９により検出するので、これら紙送りの異常や、これに伴う秘匿ラベル８の貼付異常、用紙搬送路９の紙詰り（ジャム）の防止を図ることができる。
【００９２】
また、ラベル貼付装置１は、プリンタ６の排紙口６ａから排出される秘匿情報記載書７がその印字の定着のために加熱されているので、この秘匿情報記載書７を冷却ファン５により冷却している。このために、秘匿情報記載書７への秘匿ラベル８の貼着力の低下や秘匿情報記載書７の反りを防止または低減することができ、秘匿情報記載書７の用紙搬送路９での紙送り異常を防止または低減することができる。また、正面扉４ａ、側面扉４ｂ、スタッカカバー１１ａには錠を設けているので、第三者が勝手に秘匿情報記載書７を見たり、盗むことを防止することができる。さらに、正面扉４ａを開扉することにより、秘匿ラベルシール収納ケース１９、連続剥離収納ケース１４と共にラベル貼付ユニット１０を正面開口外方へ引き出すことができる。また、図６に示すように側面扉４ｂを外側方へ傾動させて開扉することにより、図１で示す用紙搬送路９の一側（図１では左側）を外方へ開放させ、用紙搬送路９でジャムを発生させた用紙（秘匿情報記載書７）を除去すること等ができる。
【００９３】
なお、本発明は上記実施形態に何等限定されるものではなく、本発明の要旨を逸脱しない範囲において、種々なる大要で実施し得ることは勿論である。
【図面の簡単な説明】
【００９４】
【図１】本発明の一実施形態に係るラベル貼付装置の上ケース内の内部構成を示す構成図。
【図２】図１で示す秘匿ラベル貼付装置を主に示す構成図。
【図３】図１，２で示す秘匿ラベル剥離装置を拡大して示す一部拡大図。
【図４】図１で示すラベル貼付装置の電気的構成を示すブロック図。
【図５】図１で示すラベル貼付装置の外観平面図。
【図６】図１で示すラベル貼付装置の外観正面図。
【図７】図１で示す秘匿情報記載書の一例を示す正面図。
【図８】図１等で示すラベル貼付装置により秘匿ラベルが貼付された秘匿情報記載書の表面図。
【図９】図１等で示すリジェクタ紙の一例の表面図。
【符号の説明】
【００９５】
１  ラベル貼付装置
３  下ケース
４  上ケース
５  用紙冷却ファン
６  プリンタ
７  秘匿情報記載書
７ｂ  秘匿情報記載部
８  秘匿ラベル
９  用紙搬送路
１０  ラベル貼付ユニット
１１  スタッカートレイ
１２  リジェクトトレイ
１３  秘匿ラベル収納ケース
１４  連続剥離紙収納ケース
１５  切換ゲート
１６  エンボス文字ユニット
１７  エンボスラインユニット
１８  搬送装置
１８ａ，１８ｂ  搬送ローラ
１９  秘匿ラベルシール
１９ａ  連続剥離紙
２０  ラベル剥離装置
２１  ラベル搬送路
２５  ラベルニアエンドセンサ
２６  ラベル先端検出センサ
２８  ラベル挿入センサ
２９  紙送り異常検出センサ
３０  番号読取センサ
３１  用紙通過検出センサ
３２  ラベル貼付検出センサ
【図１】
2006256660.tif 000003
【図２】
2006256660.tif 000004
【図３】
2006256660.tif 000005
【図４】
2006256660.tif 000006
【図５】
2006256660.tif 000007
【図６】
2006256660.tif 000008
【図７】
2006256660.tif 000009
【図８】
2006256660.tif 000010
【図９】
2006256660.tif 000011